(57)【要約】【課題】  光ファイバリングの一部に印加された物理的外力とその位置を同定し、且つ光ファイバリングを容易に切断できないようにする。【解決手段】  光ファイバ侵入監視装置１は、波長が異なる２つの光源と、この２つの光源に対応した干渉光を検出する２種類の受光部とを備えた光ファイバ振動センサ検出装置４３と、この光ファイバ振動センサ検出装置４３の各光源と各受光部に接続される第１分岐結合器４５と、この第１分岐結合器４５に一端側を接続した光ファイバリング干渉型の振動センサを構成する振動センサ用光ケーブル６３と、この振動センサ用光ケーブル６３の他端側に接続した第２分岐結合器４７と、から構成される。前記振動センサ用光ケーブル６３は監視用構造物６５の左右方向に延伸された骨組６９に沿わせて布設される。【選択図】  図１
2007233436.tif 000002
【特許請求の範囲】
【請求項１】
光源と、光ファイバの干渉光を検出する受光部とを備えた光ファイバ振動センサ検出装置と、この光ファイバ振動センサ検出装置の前記光源と受光部に接続される第１分岐結合器と、この第１分岐結合器に一端側を接続した光ファイバリング干渉型の振動センサを構成する振動センサ用光ケーブルと、から構成される光ファイバ侵入監視装置における振動センサ用光ケーブルの布設方法であって、
前記振動センサ用光ケーブルを監視用構造物の左右方向に延伸された骨組に沿わせて布設することを特徴とする光ファイバ侵入監視装置における振動センサ用光ケーブルの布設方法。
【請求項２】
波長が異なる２つの光源と、この２つの光源に対応した干渉光を検出する２種類の受光部とを備えた光ファイバ振動センサ検出装置と、この光ファイバ振動センサ検出装置の前記各光源と各受光部に接続される第１分岐結合器と、この第１分岐結合器に一端側を接続した光ファイバリング干渉型の振動センサを構成する振動センサ用光ケーブルと、この振動センサ用光ケーブルの他端側に接続した第２分岐結合器と、から構成される光ファイバ侵入監視装置における振動センサ用光ケーブルの布設方法であって、
前記振動センサ用光ケーブルを監視用構造物の左右方向に延伸された骨組に沿わせて布設することを特徴とする光ファイバ侵入監視装置における振動センサ用光ケーブルの布設方法。
【請求項３】
前記監視用構造物の左右方向に延伸された骨組に、少なくとも１本以上のダミーケーブルを沿わせて布設することを特徴とする請求項１又は２記載の光ファイバ侵入監視装置における振動センサ用光ケーブルの布設方法。
【発明の詳細な説明】
【技術分野】
【０００１】
この発明は、光ファイバ侵入監視装置における振動センサ用光ケーブルの布設方法に関し、特に光ファイバリングの一部に物理的外力が印加された場合にその外力の検出と外力が印加された位置を同定する光ファイバリング干渉型の振動センサを構成する光ファイバ侵入監視装置における振動センサ用光ケーブルの布設方法に関する。
【背景技術】
【０００２】
近年、侵入者からの防犯、道路や鉄道での落石検出手段として可能な光ファイバとレーザ光を応用した干渉型センサが提案されている。たとえば振動等の物理的外力（力学的刺激）により光ファイバケーブルの一部が応力を受けたために、伝搬する光の光路長が変化して位相等の物理的性質が変化することを利用した外力刺激の検出装置が知られている。
【０００３】
図５を参照するに、例えば、非特許文献１に示されているように、光ファイバリング干渉型の振動センサ１０１が知られている。この光ファイバリング干渉型の振動センサ１０１の利点としては、次のことがらがあげられる。（１）光ファイバに伝わった振動・衝撃をリアルタイムに観測できる。（２）センサ部は一般の光ファイバケーブルを使用でき、特殊なセンサ部を必要としない。（３）光源や受光回路以外は、すべて受動光学素子で構成されるため、センサ区間近傍で電源や避雷・防爆の対策が不要である。このとき、上記の光ファイバリング干渉型の振動センサ１０１により、振動が加わっている位置を知る必要がある。
【０００４】
そこで、従来の光ファイバリング干渉型の振動センサ１０１は、図５に示されているように、第１干渉型振動センサ１０３と第２干渉型振動センサ１０５とを用いて、各第１，第２干渉型振動センサ１０３，１０５に入力された互いに異なる波長の光が振動によって生じた各干渉光強度を検出して比較することで振動位置、振動レベル等の振動特性を同定するものである。
【０００５】
すなわち、第１干渉型振動センサ１０３は、１．３μｍの波長帯の光を発生する第１光源１０７に接続される第１ポート１０９と、フォトダイオード（ＰＤ）からなる第１受光部１１１に接続される第２ポート１１３との少なくとも２つのポート（図５では３つのポート）から、少なくとも２つの第３、第４ポート１１５，１１７に分岐する第１分岐光カプラ１１９と、この第１分岐光カプラ１１９に光学的に接続する第１光ファイバリング１２１と、から構成されている。なお、前記第１光ファイバリング１２１の一端が前記第３ポート１１５に接続されていると共にその他端が前記第４ポート１１７に接続されている。
【０００６】
また、第２干渉型振動センサ１０５は、前記第１光源１０７と異なる１．５５μｍの波長帯の光を発生する第２光源１２３に接続される第５ポート１２５と、フォトダイオード（ＰＤ）からなる第２受光部１２７に接続される第６ポート１２９との少なくとも２つのポート（図５では３つのポート）から、少なくとも２つの第７，第８ポート１３１，１３３に分岐する第２分岐光カプラ１３５と、この第２分岐光カプラ１３５に光学的に接続する第２光ファイバリング１３７と、から構成されている。なお、前記第２光ファイバリング１３７の一端が前記第７ポート１３１に接続されていると共にその他端が前記第８ポート１３３に接続されている。
【０００７】
さらに、前記第１，第２干渉型振動センサ１０３，１０５は、前記第１光ファイバリング１２１の全長の中点Ｘ１と前記第２光ファイバリング１３７の全長の中点Ｘ２が互いに反対側に位置すべく前記第１，第２光ファイバリング１２１，１３７を対称的に配置し、且つ前記第１，第２光ファイバリング１２１，１３７の前記各中点Ｘ１，Ｘ２を除く部分の光ファイバを４つのＷＤＭカプラの第３分岐光カプラ１３９により分岐して１．３μｍ帯と１．５５μｍ帯の両波長帯にて共有する２本の光ファイバリング部１４１に構成されている。
【０００８】
したがって、前記第１干渉型振動センサ１０３では、前記第１光源１０７から入力された１．３μｍの波長帯の伝搬光が第１分岐光カプラ１１９の第１ポート１０９から第３、第４ポート１１５，１１７に分岐されて時計回り（Clock Wise：ＣＷ）光と反時計回り（Counter Clock Wise：ＣＣＷ）光に分岐され、図５の実線で示されているようにそれぞれ第１光ファイバリング１２１を一周する。各ＣＷ光とＣＣＷ光が再び第１分岐光カプラ１１９で合波され、第１受光部１１１ではその干渉光が検出される。
【０００９】
このとき、第１光ファイバリング１２１内、すなわち光ファイバリング部１４１に振動・衝撃が加えられると、光ファイバに屈折率変化が生じる。このとき、第１受光部１１１ではこの現象が振動によって位相変調されたＣＷ光とＣＣＷ光の干渉光の強度変化として検出される。
【００１０】
一方、前記第２干渉型振動センサ１０５では、上述した第１干渉型振動センサ１０３とほぼ同様であり、前記第２光源１２３から入力された１．５５μｍの波長帯の伝搬光が第２分岐光カプラ１３５によりＣＷ光とＣＣＷ光に分岐されて図５の点線で示されているようにそれぞれ第２光ファイバリング１３７を一周する。各ＣＷ光とＣＣＷ光が再び第２分岐光カプラ１３５で合波され、第２受光部１２７でその干渉光が検出される。第２光ファイバリング１３７内、すなわち光ファイバリング部１４１に加えられた振動によって位相変調されたＣＷ光とＣＣＷ光の干渉光の強度変化が検出される。
【００１１】
さらに、上記の第１，第２干渉型振動センサ１０３，１０５の干渉光の強度変化を比較することで加振点の振動位置、振動レベル等の振動特性が同定される。
【００１２】
上記の光ファイバリング干渉型の振動センサ１０１は、光ファイバリング部１４１を収容した振動センサ用光ケーブル１４３で構成され、この振動センサ用光ケーブル１４３の長さＬを長くして、例えば監視区間に張り巡らした図示しないフェンスなどの監視用構造部材に前記振動センサ用光ケーブル１４３の適宜箇所を固定具などで固定し、数ｋｍ〜数十ｋｍの全長に亘って延長させて布設されることにより、光ファイバ侵入監視装置が構成されている。侵入者が前記フェンスから侵入するときに生じる加振点の振動位置や振動レベルを検出することができる。
【非特許文献１】フジクラ技報第１０３号（２００２年１０月）
【発明の開示】
【発明が解決しようとする課題】
【００１３】
ところで、従来の光ファイバリング干渉型の振動センサ１０１においては、振動センサ用光ケーブル１４３が侵入者などにより切断される恐れがあるので、それをできる限り最小限に抑える必要性があった。しかも、光ファイバリング干渉型の振動センサ１０１では検出できないほどの振動で振動センサ用光ケーブル１４３が切断される可能性があるという問題点があった。
【００１４】
この発明は上述の課題を解決するためになされたものである。
【課題を解決するための手段】
【００１５】
上記の発明が解決しようとする課題を達成するために、この発明の光ファイバ侵入監視装置における振動センサ用光ケーブルの布設方法は、光源と、光ファイバの干渉光を検出する受光部とを備えた光ファイバ振動センサ検出装置と、この光ファイバ振動センサ検出装置の前記光源と受光部に接続される第１分岐結合器と、この第１分岐結合器に一端側を接続した光ファイバリング干渉型の振動センサを構成する振動センサ用光ケーブルと、から構成される光ファイバ侵入監視装置における振動センサ用光ケーブルの布設方法であって、
前記振動センサ用光ケーブルを監視用構造物の左右方向に延伸された骨組に沿わせて布設することを特徴とするものである。
【００１６】
また、この発明の光ファイバ侵入監視装置における振動センサ用光ケーブルの布設方法は、波長が異なる２つの光源と、この２つの光源に対応して光ファイバの干渉光を検出する２種類の受光部とを備えた光ファイバ振動センサ検出装置と、この光ファイバ振動センサ検出装置の前記各光源と各受光部に接続される第１分岐結合器と、この第１分岐結合器に一端側を接続した光ファイバリング干渉型の振動センサを構成する振動センサ用光ケーブルと、この振動センサ用光ケーブルの他端側に接続した第２分岐結合器と、から構成される光ファイバ侵入監視装置における振動センサ用光ケーブルの布設方法であって、
前記振動センサ用光ケーブルを監視用構造物の左右方向に延伸された骨組に沿わせて布設することを特徴とするものである。
【００１７】
この発明の光ファイバ侵入監視装置における振動センサ用光ケーブルの布設方法は、前記光ファイバ侵入監視装置における振動センサ用光ケーブルの布設方法において、前記監視用構造物の左右方向に延伸された骨組に、少なくとも１本以上のダミーケーブルを沿わせて布設することが好ましい。
【発明の効果】
【００１８】
以上のごとき課題を解決するための手段から理解されるように、この発明の光ファイバ侵入監視装置における振動センサ用光ケーブルの布設方法によれば、侵入者が振動センサ用光ケーブルを切断しようとしても、振動センサ用光ケーブルが監視用構造物の左右方向に延伸された骨組に沿わせて布設されているために骨組ごと切断するのは難しいので、振動センサ用光ケーブルだけを切断するには手間がかかるため、侵入者が簡単には侵入できない効果がある。しかも、振動センサ用光ケーブルを骨組ごと切断しようとした場合、確実に振動センサ用光ケーブルで検出できるほどの振動が発生するので、確実に侵入者を監視することができる。
【００１９】
また、この発明の光ファイバ侵入監視装置における振動センサ用光ケーブルの布設方法によれば、互いに波長の異なる光が加振点の振動によって位相変調された２つの干渉光の強度変化を検出して比較することで前記加振点の振動位置や振動レベル等の振動特性を同定できる振動センサ用光ケーブルにも適用でき、上述した光ファイバ侵入監視装置における振動センサ用光ケーブルの布設方法と同様の効果が得られる。
【発明を実施するための最良の形態】
【００２０】
以下、この発明の実施の形態について図面を参照して説明する。
【００２１】
図１（Ａ）〜（Ｃ）及び図２を参照するに、この実施の形態に係る光ファイバ侵入監視装置１としては、図２に示されているように、第１干渉型振動センサ３と第２干渉型振動センサ５とを用いて、各第１，第２干渉型振動センサ３，５に入力された互いに異なる波長の光が振動によって生じた各干渉光強度を検出して比較することで加振点の振動位置、振動レベル等の振動特性を同定するものである。
【００２２】
上記の第１干渉型振動センサ３は、１．３μｍの波長帯の光を発生する第１光源７に接続される第１ポート９と、フォトダイオード（ＰＤ）からなる第１受光部１１に接続される第２ポート１３との少なくとも２つのポート（図２では３つのポート）から、少なくとも２つの第３，第４ポート１５，１７に分岐する第１分岐光カプラ１９と、この第１分岐光カプラ１９に光学的に接続する第１光ファイバリング２１と、から構成されている。なお、前記第１光ファイバリング２１の一端が前記第３ポート１５に接続されていると共にその他端が前記第４ポート１７に接続されている。
【００２３】
また、第２干渉型振動センサ５は、前記第１光源７と異なる１．５５μｍの波長帯の光を発生する第２光源２３に接続される第５ポート２５と、フォトダイオード（ＰＤ）からなる第２受光部２７に接続される第６ポート２９との少なくとも２つのポート（図２では３つのポート）から、少なくとも２つの第７，第８ポート３１，３３に分岐する第２分岐光カプラ３５と、この第２分岐光カプラ３５に光学的に接続する第２光ファイバリング３７と、から構成されている。なお、前記第２光ファイバリング３７の一端が前記第７ポート３１に接続されていると共にその他端が前記第８ポート３３に接続されている。
【００２４】
なお、この実施の形態では、上記の第１，第２分岐光カプラ１９，３５にはそれぞれ３×３カプラが用いられている。
【００２５】
さらに、前記第１，第２干渉型振動センサ３，５は、前記第１光ファイバリング２１の全長の中点Ｘ１と前記第２光ファイバリング３７の全長の中点Ｘ２が互いに反対側に位置すべく前記第１，第２光ファイバリング２１，３７を対称的に配置し、且つ前記第１，第２光ファイバリング２１，３７の前記各中点Ｘ１，Ｘ２を除く部分の光ファイバを４つのＷＤＭカプラの第３分岐光カプラ３９により分岐して１．３μｍ帯と１．５５μｍ帯の両波長帯にて共有する２本の光ファイバリング部４１に構成されている。
【００２６】
したがって、前記第１干渉型振動センサ３では、前記第１光源７から入力された１．３μｍの波長帯の伝搬光が第１分岐光カプラ１９の第１ポート９から第３，第４ポート１５，１７に分岐されて時計回り（Clock Wise：ＣＷ）光と反時計回り（Counter Clock Wise：ＣＣＷ）光に分岐され、図２の実線で示されているようにそれぞれ第１光ファイバリング２１を一周する。各ＣＷ光とＣＣＷ光が再び第１分岐光カプラ１９で合波され、第１受光部１１ではその干渉光が検出される。このとき、振動・衝撃が加えられていない静的な状態であれば、ＣＷ光とＣＣＷ光の第１光ファイバリング２１内の光路長は同じであるから、両者の位相差は一定となり、前記第１受光部１１によって検出される信号は一定となる。
【００２７】
ところが、第１光ファイバリング２１内、すなわち光ファイバリング部４１に振動等の物理的外力（力学的刺激）が加えられると、光ファイバに屈折率変化が生じる。このとき、第１受光部１１ではこの現象が振動によって位相変調されたＣＷ光とＣＣＷ光の干渉光の強度変化として検出される。
【００２８】
例えば、時間ｔにおいて加振点にて位相変調が生じた場合、ＣＷ光が加振点から第１受光部１１に到達するまでの時間ＴＣＷと、ＣＣＷ光が加振点から第１受光部１１に到達するまでの時間ＴＣＣＷとすると、第１受光部１１で検出される干渉光の強度は、加わった位相変調と、前記時間ＴＣＷと時間ＴＣＣＷとの間の２つの変数の関数で与えられることになる。なお、この詳細は非特許文献１で示されているので、その説明は省略する。
【００２９】
一方、前記第２干渉型振動センサ５では、上述した第１干渉型振動センサ３とほぼ同様であり、前記第２光源２３から入力された１．５５μｍの波長帯の伝搬光が第２分岐光カプラ３５によりＣＷ光とＣＣＷ光に分岐されて図２の点線で示されているようにそれぞれ第２光ファイバリング３７を一周する。各ＣＷ光とＣＣＷ光が再び第２分岐光カプラ３５で合波され、第２受光部２７でその干渉光が検出される。第２光ファイバリング３７内、すなわち光ファイバリング部４１に加えられた振動によって位相変調されたＣＷ光とＣＣＷ光の干渉光の強度変化が検出される。
【００３０】
このとき、加振点から第１，第２受光部１１，２７に到達するまでの光の時間に対して振動による位相変化が十分遅く変化する場合、１．３μｍ帯、１．５５μｍ帯でそれぞれ生じる位相差Δφ１．３及びΔφ１．５５を算出することができ、加振点までの距離は、１．３μｍ帯、１．５５μｍ帯でそれぞれ生じる位相差Δφ１．３とΔφ１．５５の比により算出することができる。
【００３１】
以上のように、第１干渉型振動センサ３によって前記第１光源７から入力された１．３μｍ帯の光が振動によって位相変調された干渉光の強度変化と、第２干渉型振動センサ５によって前記第２光源２３から入力された１．５５μｍ帯の光が振動によって位相変調された干渉光の強度変化とを検出して比較することで、光ファイバリング部４１の一部に振動などの物理的外力が印加された加振点の振動位置や振動レベル等の振動特性を同定することができる。
【００３２】
図１（Ａ）〜（Ｃ）、図２及び図３を併せて参照するに、第１光源７、第１受光部１１、第２光源２３、第２受光部２７は光ファイバ振動センサ検出装置としての例えば振動検出器本体４３内に収容されている。第１分岐光カプラ１９は第１分岐結合器４５内に収容されている。第２分岐光カプラ３５は第２分岐結合器４７内に収容されている。
【００３３】
また、第１光源７及び第１受光部１１から第１分岐光カプラ１９までの間はそれぞれ第１光ファイバ４９（図２では３心）で接続されており、第２光源２３及び第２受光部２７から第２分岐光カプラ３５までの間はそれぞれ第２光ファイバ５１（図２では３心）で接続されている。
【００３４】
したがって、振動検出器本体４３と第１分岐結合器４５との間は、第１，第２光ファイバ４９，５１で合計６心が、図１（Ｂ）に示されているように、例えば１本のテンションメンバ５３に縦添えされると共にその全外周を外被５５でシースして構成されたアプローチ用光ケーブル５７で接続されている。
【００３５】
また、第１分岐結合器４５と第２分岐結合器４７との間は、第２光ファイバ５１（３心）と第１，第２光ファイバリング２１，３７の共有部分の光ファイバリング部４１（２心）で合計５心が、図１（Ｃ）に示されているように、例えば１本のテンションメンバ５９に縦添えされると共にその全外周を外被６１でシースして構成された振動センサ用光ケーブル６３で接続されている。
【００３６】
また、この実施の形態に係る光ファイバ侵入監視装置１では、上記の振動センサ用光ケーブル６３はその長さＬを任意に長くして、図１（Ａ）及び図３に示されているように、例えば監視区間に張り巡らしたフェンス６５などの監視用構造部材に前記振動センサ用光ケーブル６３の適宜箇所を図示しない固定具などで固定し、数ｋｍ〜数十ｋｍの全長に亘って延長させて布設される。
【００３７】
上記のフェンス６５は、一般的に、多数の支柱６７が左右方向で適宜間隔毎に例えば地面に固定されて上下方向に立設されており、前記多数の支柱６７には複数の横架材６９が並列して左右方向に延伸して固定されている。この場合は、前記多数の支柱６７と複数の横架材６９がフェンス６５の骨組を構成しており、この骨組には例えば金網７１などが張り巡らされて全体としてフェンス６５を構成している。
【００３８】
このとき、前記振動センサ用光ケーブル６３は、フェンス６５の骨組の特に左右方向に延伸されている横架材６９に沿わせて配線されることが、この発明の実施の形態の主な特徴である。
【００３９】
例えば、振動センサ用光ケーブル６３は上記の横架材６９の下側に接触あるいは近傍に沿わせることができるが、横架材６９が例えば断面下向きＵ字形などのように湾曲部を有する断面形状の型材であれば、この湾曲部の内側に前記振動センサ用光ケーブル６３を挿入するようにして沿わせることは、侵入者が振動センサ用光ケーブル６３だけを切断するのが難しくなるという点で望ましい。
【００４０】
上記構成により、侵入者が前記フェンス６５から侵入するときに生じる振動センサ用光ケーブル６３の加振点の振動位置（加振点までの距離）や振動レベルが第１，第２光ファイバリング２１，３７の光ファイバリング部４１で検出できる。しかも、侵入者が振動センサ用光ケーブル６３を切断しようとしても、図１及び図３に示されているように、振動センサ用光ケーブル６３がフェンス６５の左右方向に延伸された横架材６９に沿わせて配線されているので横架材６９ごと切断するのは難しくなる。特に、振動センサ用光ケーブル６３が湾曲部を有する断面形状の横架材６９の前記湾曲部に挿入されている場合は、振動センサ用光ケーブル６３だけを切断することが難しく、たとえ振動センサ用光ケーブル６３だけを取り出して切断するとしても手間がかかるので、侵入者が簡単に侵入できないという優れた効果がある。
【００４１】
しかも、振動センサ用光ケーブル６３を横架材６９ごと切断しようとした場合、確実に振動センサ用光ケーブル６３で検出できるほどの振動が発生するので、侵入者を確実に検出して監視することができる。
【００４２】
図４を参照するに、他の実施の形態としては、前述したように振動センサ用光ケーブル６３がフェンス６５の横架材６９に沿わせて左右方向に配線されると共に、少なくとも１本以上のダミーケーブル７３を他の横架材６９に沿わせて左右方向に配線することができる。この実施の形態では３本のダミーケーブル７３がそれぞれ他の３つの横架材６９に沿わせて振動センサ用光ケーブル６３と共に並列に配線されている。
【００４３】
これにより、本物の振動センサ用光ケーブル６３とダミーケーブル７３との見分けがつかないので振動センサ用光ケーブル６３が切断される確率は小さくなる。この効果に加えて、もし、振動センサ用光ケーブル６３を含む全部のケーブル６３、７３が切断されるとしても、その過程で振動を検出する確率も高くなるという効果もある。
【００４４】
なお、前述した実施の形態の光ファイバ侵入監視装置１では、第１，第２干渉型振動センサ３，５を備えている場合について説明したが、単に第１干渉型振動センサ３のみを有する場合にも適用可能である。
【００４５】
すなわち、この場合の光ファイバ侵入監視装置では、第１干渉型振動センサ３が第１光源７と第１受光部１１と第１分岐光カプラ１９と第１光ファイバリング２１とから構成され、この第１光ファイバリング２１を収容した振動センサ用光ケーブルを構成するものである。
【００４６】
したがって、この場合でも、侵入者が前記フェンス６５から侵入するときに生じる振動等の物理的外力が第１光ファイバリング２１で検出できると共に、前記振動センサ用光ケーブルがフェンス６５の横架材６９に沿わせて配線されることで前記振動センサ用光ケーブルが切断されるのを難しくできる。つまり、第１光ファイバリング２１のみによる場合は、前述した第１，第２干渉型振動センサ３，５による場合に検出される振動特性と異なるが、前記振動センサ用光ケーブルをフェンス６５の横架材６９に沿わせて配線して布設したことに係わる効果は前述した実施の形態の説明と同様である。
【図面の簡単な説明】
【００４７】
【図１】（Ａ）は、この発明の実施の形態の光ファイバ侵入監視装置を概略的に示す斜視図で、（Ｂ）は（Ａ）の矢視ＩＢ−ＩＢ線の断面図で、（Ｃ）は（Ａ）の矢視ＩＣ−ＩＣ線の断面図である。
【図２】この発明の実施の形態の光ファイバ侵入監視装置を概略的に示す回路図である。
【図３】この発明の実施の形態の光ファイバ侵入監視装置における振動センサ用光ケーブルの布設状態を概略的に示す正面図である。
【図４】この発明の他の実施の形態の光ファイバ侵入監視装置における振動センサ用光ケーブルの布設状態を概略的に示す正面図である。
【図５】従来の光ファイバリング干渉型の振動センサを概略的に示す回路図である。
【符号の説明】
【００４８】
１  光ファイバ侵入監視装置
３  第１干渉型振動センサ
５  第２干渉型振動センサ
７  ケーブル切断検出用光ファイバ
９  第１光源
９  第１ポート
１１  第１受光部
１３  第２ポート
１５  第３ポート
１７  第４ポート
１９  第１分岐光カプラ
２１  第１光ファイバリング
２３  第２光源
２５  第５ポート
２７  第２受光部
２９  第６ポート
３１  第７ポート
３３  第８ポート
３５  第２分岐光カプラ
３７  第２光ファイバリング
３９  第３分岐光カプラ
４１  光ファイバリング部
４３  振動検出器本体（光ファイバ振動センサ検出装置）
４５  第１分岐結合器
４７  第２分岐結合器
５７  アプローチ用光ケーブル
６３  振動センサ用光ケーブル
６５  フェンス（監視用構造部材）
６７  支柱（フェンス６５の骨組）
６９  横架材（フェンス６５の骨組）
７１  金網
７３  ダミーケーブル
Ｘ１  第１光ファイバリングの中点
Ｘ２  第２光ファイバリングの中点
【図１】
2007233436.tif 000003
【図２】
2007233436.tif 000004
【図３】
2007233436.tif 000005
【図４】
2007233436.tif 000006
【図５】
2007233436.tif 000007